(57)【要約】【課題】操作者が狙い通りの操作量となるように操作することができると共に、その操作量が微小量であっても、操作量を検出することができる操作装置等を提供する。【解決手段】押込み操作可能な操作摘み２１と、操作摘み２１の押込み操作により収縮し、操作摘み２１を押込み方向とは反対側に付勢する圧縮コイルバネ６７と、操作摘み２１の押込み操作により圧縮コイルバネ６７を介して押圧される受圧部８２を有し、受圧部８２に掛かる押圧力を検出する圧力センサー５２とを備えた。【選択図】図７
2015079661.tif 000002
【特許請求の範囲】
【請求項１】
押込み操作可能な操作子と、
前記操作子の押込み操作により収縮し、前記操作子を前記押込み方向とは反対側に付勢する弾性体と、
前記操作子の押込み操作により前記弾性体を介して押圧される受圧部を有し、前記受圧部に掛かる押圧力を検出する圧力検出部と、
を備えたことを特徴とする操作装置。
【請求項２】
前記操作子の押込み端位置を規制する位置規制部を、さらに備えたことを特徴とする請求項１に記載の操作装置。
【請求項３】
前記操作子が取り付けられた取付プレートと、
前記弾性体を間に挟んで前記取付プレートよりも前記押込み方向側に設けられ、前記弾性体を介して前記取付プレートを支持する支持プレートと、をさらに備え、
前記支持プレートの前記押込み方向側の面には、前記受圧部を押圧する押圧部が設けられていることを特徴とする請求項１または２に記載の操作装置。
【請求項４】
複数の前記弾性体が、前記取付プレートに垂直な方向から見て、前記操作子の周囲に分散して設けられていることを特徴とする請求項３に記載の操作装置。
【請求項５】
前記操作子の前記押込み方向への移動を緩衝するダンパーを、さらに備えたことを特徴とする請求項１ないし４のいずれかに記載の操作装置。
【請求項６】
前記操作子は、前記押込み方向を回転軸方向として回転可能であり、
前記操作子の回転角度を検出する回転検出部を、さらに備えたことを特徴とする請求項１ないし５のいずれかに記載の操作装置。
【請求項７】
請求項１ないし６のいずれかに記載の操作装置と、
前記操作子の押込み操作に基づいて、音声信号を処理する音声信号処理部と、
を備えたことを特徴とする音響機器。
【発明の詳細な説明】
【技術分野】
【０００１】
本発明は、押込み操作可能な操作子を備えた操作装置および音響機器に関するものである。
【背景技術】
【０００２】
従来、ギターライクな電子楽器に設けられた操作子装置であって、回転操作および押圧操作可能な回転つまみと、回転つまみの回転に対応した信号を発生する回転センサと、回転つまみに対する押圧力を検知する押圧力検知センサとを備え、回転センサで発生した信号に基づいて楽音のピッチをコントロールすると共に、押圧力検知センサで検知した押圧力に基づいて、発音後の音量等を制御するものが知られている。この操作子装置では、演奏者が回転つまみを押圧すると、その押圧力が、回転センサおよびその支持部材の周縁当接部を介して、これと当接する押圧力検知センサに力が加わることで、押圧力が検知される（特許文献１参照）。
【先行技術文献】
【特許文献】
【０００３】
【特許文献１】特開平０９−１６０５６１号公報
【発明の概要】
【発明が解決しようとする課題】
【０００４】
ところで、人間が行う「押す」操作のなかでは、上記の操作子装置のように押込みを伴わない押圧のみの操作の場合、その操作量、すなわち押圧力を加減することが、比較的困難である。このため、狙い通りの操作量となるように操作することができない場合があった。例えば、一定の押圧力が持続するように操作することは困難であり、実際には、押圧している間に押圧力が変化しがちである。同様に、押圧力の強弱を加減して操作することは困難であり、操作者は「強」の押圧力で押圧しているつもりでも、実際には、「弱」の押圧力しか掛かっていない場合がある。
【０００５】
本発明は、操作者が狙い通りの操作量となるように操作することができると共に、その操作量が微小量であっても、操作量を検出することができる操作装置および音響機器を提供することを課題としている。
【課題を解決するための手段】
【０００６】
本発明の操作装置は、押込み操作可能な操作子と、操作子の押込み操作により収縮し、操作子を押込み方向とは反対側に付勢する弾性体と、操作子の押込み操作により弾性体を介して押圧される受圧部を有し、受圧部に掛かる押圧力を検出する圧力検出部と、を備えたことを特徴とする。
【０００７】
この場合、操作子の押込み端位置を規制する位置規制部を、さらに備えたことが好ましい。
【０００８】
この場合、操作子が取り付けられた取付プレートと、弾性体を間に挟んで取付プレートよりも押込み方向側に設けられ、弾性体を介して取付プレートを支持する支持プレートと、をさらに備え、支持プレートの押込み方向側の面には、受圧部を押圧する押圧部が設けられていることが好ましい。
【０００９】
この場合、複数の弾性体が、取付プレートに垂直な方向から見て、操作子の周囲に分散して設けられていることが好ましい。
【００１０】
この場合、操作子の押込み方向への移動を緩衝するダンパーを、さらに備えたことが好ましい。
【００１１】
この場合、操作子は、押込み方向を回転軸方向として回転可能であり、操作子の回転角度を検出する回転検出部を、さらに備えたことが好ましい。
【００１２】
本発明の音響機器は、上記の操作装置と、操作子の押込み操作に基づいて、音声信号を処理する音声信号処理部と、を備えたことを特徴とする。
【図面の簡単な説明】
【００１３】
【図１】本発明を適用したＤＪエフェクターの平面図である。
【図２】本発明を適用したＤＪエフェクターの機能構成を示すブロック図である。
【図３】操作摘みの回転角度に基づいたオーディオエフェクトの切替え周期の変化について説明する図である。
【図４】操作摘みの押込み量に基づいたオーディオエフェクトの発音回数の変化について説明する図である。
【図５】操作摘みの回転操作および押込み操作を、同時に行った場合について説明する図である。
【図６】変形例に係るＤＪエフェクターの機能構成を示すブロック図である。
【図７】ＤＪエフェクターの操作部の構成図であり、（ａ）は操作摘みの押込み量がゼロである状態の図、（ｂ）は操作摘みを押込み端位置まで押し込んだ状態の図である。
【図８】操作部の取付プレート周りの平面図である。
【発明を実施するための形態】
【００１４】
以下、本発明の一実施形態に係る付加音制御装置、音響機器、付加音制御方法について、添付図面を参照しながら詳細に説明する。本実施形態では、本発明の音響機器を、ＤＪ機器の一種であるＤＪエフェクターに適用した場合について例示する。
【００１５】
図１に示す図は、本実施形態のＤＪエフェクター１である。ＤＪエフェクター１は、上ケース６１および下ケース６４（図７参照）から成る筐体の上面に、左右１つずつの操作エリア２２を備えている。各操作エリア２２には、操作部１２およびボタン群２０が設けられている。操作部１２については後述する。
【００１６】
左側の操作エリア２２に設けられたボタン群２０は、操作部１２の操作摘み２１（後述する）の平面視上方を囲むように設けられたＡＵＤＩＯ  ＥＦＦＥＣＴ群２３と、操作摘み２１の平面視下方を囲むように設けられたＩＮＳＴＲＵＭＥＮＴ群２４とを有している。ＡＵＤＩＯ  ＥＦＦＥＣＴ群２３は、入力した楽曲を加工して効果を与える各種オーディオエフェクトを選択するためのものであり、入力された音を繰り返し発音する「ＲＯＬＬ４４」や、入力された音を断続的にカットする「ＴＲＡＮＳ４１」などを備える。また、ＩＮＳＴＲＵＭＥＮＴ群２４は、自機にて音声生成し、入力音声の有無にかかわらず自発音できる各種オーディオエフェクト(オシレータエフェクト)を選択するためのものであり、手拍子のような音を追加する「ＣＬＡＰ４２」や、ドラムセットのハイハットの音を追加する「ＨＩＨＡＴ４３」などを備える。
【００１７】
一方、右側の操作エリア２２に設けられたボタン群２０は、操作摘み２１の平面視上方を囲むように設けられたＢＵＩＬＤ  ＵＰ群２５と、操作摘み２１の平面視下方を囲むように設けられたＢＲＥＡＫ  ＤＯＷＮ群２６とを有している。ＢＵＩＬＤ  ＵＰ群２５は、音圧が上がる各種オーディオエフェクトを選択するためのものである。ＢＲＥＡＫ  ＤＯＷＮ群２６は、音圧が下がる各種オーディオエフェクトを選択するためのものである。
【００１８】
各種オーディオエフェクトのボタン類は押下式となっており、選択され押下されたエフェクトボタンの内側にあるランプ６０が点灯するようになっている。
【００１９】
操作者は、入力した楽曲に付加したいオーディオエフェクトを、ボタン群２０のなかの各ボタンを押すことで選択する。複数のオーディオエフェクトを選択した場合、選択順、すなわちボタンを押した順に、楽曲に付加されるエフェクトが切り替わる。なお、ＤＪエフェクター１をＰＣと接続して使用する場合、ＰＣ側において、楽曲に付加したいオーディオエフェクトの選択やその順番設定を行ってもよい。
また、以下の説明では、左側の操作エリア２２に設けられた操作部１２を操作する場合について説明するが、本発明は、右側の操作エリア２２に設けられた操作部１２にも、同様に適用されるものである。
【００２０】
図２は、ＤＪエフェクター１の機能構成を示すブロック図である。ＤＪエフェクター１は、信号入力部１１、操作部１２、ボタン群２０、パラメーター発生部１４、音声信号処理部１５および信号出力部１６を備えている。
【００２１】
信号入力部１１は、ＤＪプレーヤー４６等の外部機器から楽曲の音声信号を入力する。操作部１２は、詳細は後述するが、回転操作および押込み操作可能な操作摘み２１を備えている。操作部１２は、可変抵抗器５１により操作摘み２１の回転角度を検出し、圧力センサー５２により操作摘み２１の押込み量を検出し、その検出結果をパラメーター発生部１４に出力する。
なお、操作部１２は、特許請求の範囲における「操作装置」の一例である。可変抵抗器５１は、特許請求の範囲における「回転検出部」の一例である。圧力センサー５２は、特許請求の範囲における「圧力検出部」の一例である。
【００２２】
パラメーター発生部１４は、操作摘み２１の回転角度に基づいて、切替え周期パラメーターを発生させ、操作摘み２１の押込み量に基づいて、発音回数パラメーターを発生させる。切替え周期パラメーターは、複数種のオーディオエフェクトから、信号入力部１１に入力した楽曲に付加されるオーディオエフェクトを、順次切り替える切替え周期を、変化させるためのものである。発音回数パラメーターは、切替え周期におけるオーディオエフェクトの発音回数を変化させるためのものである。パラメーター発生部１４は、オーディオエフェクトが付加される楽曲の拍位置に合わせたタイミングで、切替え周期パラメーターおよび発音回数パラメーターを発生させ、音声信号処理部１５へ出力する。
なお、ＤＪエフェクター１が、楽曲の拍位置を検出する拍位置検出部（図示なし）を備えていてもよく、ＤＪプレーヤー４６などの外部機器において楽曲の拍位置が検出され、ＤＪエフェクター１が拍位置データを取得するようにしてもよい。
【００２３】
音声信号処理部１５は、パラメーター発生部１４からの切替え周期パラメーターおよび発音回数パラメーターに基づいて、入力された音声信号に対し、オーディオエフェクトの付加などを行う。また、信号出力部１６は、音声信号処理部１５による処理後の音声信号を、ＤＪミキサー４５に出力する。これにより、楽曲にオーディオエフェクトが付加された音がスピーカー４７から出力される。
【００２４】
次に、図３を参照し、操作摘み２１の回転角度に基づいた付加音の切替え周期の変化について説明する。操作摘み２１の周りには、４分音符マーク３０ａ、８分音符マーク３０ｂ、１６分音符マーク３０ｃおよび３２分音符マーク３０ｄが表示されている。操作摘み２１を４分音符マーク３０ａの回転角度、８分音符マーク３０ｂの回転角度、１６分音符マーク３０ｃの回転角度、３２分音符マーク３０ｄの回転角度に回転操作すると、その回転角度の検出結果に基づいて、パラメーター発生部１４は、第１切替え周期パラメーター、第２切替え周期パラメーター、第３切替え周期パラメーター、第４切替え周期パラメーターをそれぞれ発生させる。音声信号処理部１５は、第１切替え周期パラメーターを受信すると、複数種のオーディオエフェクトから付加されるオーディオエフェクトを切り替える切替え周期を、１拍とする。音声信号処理部１５は、第２切替え周期パラメーターを受信すると、切替え周期を１／２拍に、第３切替え周期パラメーターを受信すると、切替え周期を１／４拍に、第４切替え周期パラメーターを受信すると、切替え周期を１／８拍にする。
例えば、ここでは、オーディオエフェクトとして、「ＴＲＡＮＳ４１」、「ＣＬＡＰ４２」、「ＨＩＨＡＴ４３」および「ＲＯＬＬ４４」が選択されているものとする。ＤＪプレーヤー４６などの操作者が、操作摘み２１を４分音符マーク３０ａの回転角度に回転操作した場合、パラメーター発生部１４が第１切替え周期パラメーターを発生させ、音声信号処理部１５が切替え周期を１拍にする。その結果、楽曲に付加されるオーディオエフェクトが、１拍ごとに、「ＴＲＡＮＳ４１」、「ＣＬＡＰ４２」、「ＨＩＨＡＴ４３」および「ＲＯＬＬ４４」の順に切り替わる（図３（ａ）参照）。また、操作者が操作摘み２１を８分音符マーク３０ｂの回転角度に回転操作した場合は、パラメーター発生部１４が第２切替え周期パラメーターを発生させ、音声信号処理部１５が切替え周期を１／２拍にする。その結果、オーディオエフェクトが、１／２拍ごとに、「ＴＲＡＮＳ４１」、「ＣＬＡＰ４２」、「ＨＩＨＡＴ４３」および「ＲＯＬＬ４４」の順に切り替わる（図３（ｂ）参照）。以下、操作摘み２１を１６分音符マーク３０ｃの回転角度、３２分音符マーク３０ｄの回転角度に回転操作した場合も同様である。
【００２５】
以上、操作摘み２１の回転角度に基づいたオーディオエフェクトの切替え周期の変化について説明をしたが、回転操作による切替え周期の選択数は、本実施形態のように４つではなく、３つ以下あるいは５つ以上であっても良い。また、本実施形態では、切替え周期の選択肢が、１拍、１／２拍、１／４拍、１／８拍に固定されているが、これを、操作者が複数の切替え周期のなかから選択できる構成にしても良い。
【００２６】
次に、図４を参照し、操作摘み２１の押込み量に基づいたオーディオエフェクトの発音回数の変化について説明する。操作摘み２１は、詳細は後述するが、押込み可能量が３ｍｍとなっている。操作摘み２１を、押込み量が「小」（例えば０ｍｍ以上１ｍｍ未満）の位置、押込み量が「中」（例えば１ｍｍ以上２ｍｍ未満）の位置、押込み量が「大」（例えば２ｍｍ以上３ｍｍ以下）の位置に押込み操作すると、その押込み量の検出結果に基づいて、パラメーター発生部１４は、第１発音回数パラメーター、第２発音回数パラメーター、第３発音回数パラメーターをそれぞれ発生させる。音声信号処理部１５は、第１発音回数パラメーターを受信すると、切替え周期におけるオーディオエフェクトの発音回数を１回とする。音声信号処理部１５は、第２発音回数パラメーターを受信すると、発音回数を２回に、第３発音回数パラメーターを受信すると、発音回数を４回にする。
【００２７】
例えば、ここでは、上記と同様に、オーディオエフェクトとして、「ＴＲＡＮＳ４１」、「ＣＬＡＰ４２」、「ＨＩＨＡＴ４３」および「ＲＯＬＬ４４」が選択されているものとする。また、操作摘み２１は、４分音符マーク３０ａの回転角度に回転操作されており、切替え周期は１拍となっているものとする。操作者が、操作摘み２１を、押込み量「小」の位置に押込み操作した場合、パラメーター発生部１４が第１発音回数パラメーターを発生させ、その結果、楽曲に付加されるオーディオエフェクトが、切替え周期（１拍）のなかで１回発音する（図４（ａ）参照）。また、操作者が、操作摘み２１を、押込み量「中」の位置に押込み操作した場合、パラメーター発生部１４が第２発音回数パラメーターを発生させ、その結果、オーディオエフェクトが、切替え周期（１拍）のなかで２回発音する（図４（ｂ）参照）。また、操作者が、操作摘み２１を、押込み量「大」の位置に押込み操作した場合、パラメーター発生部１４が第３発音回数パラメーターを発生させ、その結果、オーディオエフェクトが、切替え周期（１拍）のなかで４回発音する（図４（ｃ）参照）。
【００２８】
このように、楽曲に付加されるオーディオエフェクトの発音回数を、操作摘み２１の押込み量に基づいて、１拍ごとに１回、１拍ごとに２回、１拍ごとに４回、と変化させることができる。
【００２９】
以上、操作摘み２１の押込み量に基づいたオーディオエフェクトの発音回数の変化について説明をしたが、押込み操作による発音回数の選択数は、本実施形態のように３つではなく、２つ以下あるいは４つ以上であっても良い。本実施形態では、発音回数の選択肢が、１回、２回、４回に固定されているが、これを、操作者が複数種の発音回数のなかから選択できる構成にしても良い。
【００３０】
次に、図５を参照し、切替え周期を切り替える操作、および発音回数を切り替える操作を同時に行った場合、つまり操作摘み２１の回転操作および押込み操作を、同時に行った場合について説明する。
上述したように、パラメーター発生部１４は、楽曲の拍位置に合わせたタイミングで、切替え周期パラメーターおよび発音回数パラメーターを発生させ、音声信号処理部１５へ出力する。そのため、拍の途中で操作摘み２１の回転操作および押込み操作を行った場合にも、次の拍の頭から、切替え周期および発音回数が変化するようになっている。
【００３１】
まず、１拍目では、操作摘み２１の回転角度を４分音符マーク３０ａの範囲に回転した状態であり、押し込み量は「小」である。このとき、切替え周期は１拍であり、発音回数は１回である。このため、１拍目では、「ＴＲＡＮＳ４１」が１回発音される。
【００３２】
１拍目の間に、操作者が、操作摘み２１の回転角度を８分音符マーク３０ｂの範囲内とすると共に、押込み量を「中」とする。これにより、２拍目では、切替え周期が１／２拍に、発音回数が２回に変化する。このため、２拍目の頭では「ＣＬＡＰ４２」が発音され、その１／２拍後には、「ＨＩＨＡＴ」が発音される。また、「ＣＬＡＰ４２」は、１／２拍のなかで２回発音する。同様に、「ＨＩＨＡＴ４３」は、１／２拍のなかで２回発音する。
【００３３】
２拍目の間に、操作者が、操作摘み２１の回転角度を１６分音符マーク３０ｃの範囲内とすると共に、押込み量を「小」に戻す。これにより、３拍目では、切替え周期が１／４拍に、発音回数が１回に変化する。このため、３拍目の頭で「ＲＯＬＬ４４」が発音され、その１／４拍後には「ＴＲＡＮＳ４１」が発音され、その１／４拍後には「ＣＬＡＰ４２」が発音され、その１／４拍後には「ＨＩＨＡＴ４３」が発音される。また、「ＲＯＬＬ４４」は、１／４拍のなかで１回発音する。同様に、「ＴＲＡＮＳ４１」、「ＣＬＡＰ４２」および「ＨＩＨＡＴ４３」は、それぞれ１／４拍のなかで１回発音する。
【００３４】
３拍目の間に、操作者が、操作摘み２１の回転角度を４分音符マーク３０ａの範囲内に戻すと共に、押込み量を「大」にする。これにより、４拍目では、切替え周期が１拍に、発音回数が４回に変化する。このため、４拍目では「ＲＯＬＬ４４」が４回発音される。
【００３５】
以上のように、本実施形態のＤＪエフェクター１によれば、操作摘み２１を回転操作することで、パラメーター発生部１４が切替え周期パラメーターを変化させ、音声信号処理部１５が切替え周期を変化させる。また、操作摘み２１を押込み操作することで、パラメーター発生部１４が発音回数パラメーターを変化させ、音声信号処理部１５が発音回数を変化させる。したがって、切替え周期を変化させる操作と、発音回数を変化させる操作とを、１つの操作子で行うことができる。特に、迅速且つ正確な操作が求められるＤＪプレイにおいては、格段の効果を得ることができる。
また、パラメーター発生部１４は、オーディオエフェクトが付加される楽曲の拍位置に合わせたタイミングで、切替え周期パラメーターおよび発音回数パラメーターを発生させることで、操作摘み２１の回転操作および押込み操作を、拍の途中で行った場合にも、次の拍の頭から切替え周期および発音回数が変化する。このため、操作者は、回転操作および押込み操作を行うタイミングを、楽曲の拍のタイミングに合わせて行わずとも、オーディオエフェクトを楽曲の拍のタイミングに合わせて付加することができる。
【００３６】
図６を参照して、本実施形態の変形例について説明する。変形例に係るＤＪエフェクター１は、上述したＤＪエフェクター１と略同様の構成であるが、制御部１７をさらに備えている点で相違する。
【００３７】
ここでは、パラメーター発生部１４は、楽曲の拍のタイミングにかかわらず、切替え周期パラメーターおよび発音回数パラメーターを発生させる。
【００３８】
制御部１７は、パラメーター発生部１４にて発生された切替え周期パラメーターおよび発音回数パラメーターを、オーディオエフェクトが付加される楽曲の拍位置に合わせたタイミングで音声信号処理部１５へ出力する。
【００３９】
このように、切替え周期パラメーターおよび発音回数パラメーターの発生をパラメーター発生部１４が行い、切替え周期パラメーターおよび発音回数パラメーターの出力制御を制御部１７で行う構成であっても良い。この場合も、操作摘み２１の回転操作および押込み操作を、拍の途中で行った場合にも、次の拍の頭から切替え周期および発音回数が変化する。このため、操作者は、回転操作および押込み操作を行うタイミングを、楽曲の拍のタイミングに合わせて行わずとも、オーディオエフェクトを楽曲の拍のタイミングに合わせて付加することができる。
【００４０】
図７および図８を参照して、操作部１２について説明する。なお、以下の説明では、図７の紙面上の上下を「上下」として説明する。もちろん、この方向は説明の便宜上のものであり、本発明の実施に関しては、この方向に限定されることはない。
【００４１】
図７に示すように、操作部１２は、操作摘み２１が上ケース６１の上面から突出して設けられたロータリー式可変抵抗器５１（以下、単に「可変抵抗器５１」ともいう。）と、可変抵抗器５１が取り付けられた取付プレート６２と、取付プレート６２の周縁部に設けられたダンパー６３と、下ケース６４から取付プレート６２の周縁部に向けて突設された位置規制凸部６５と、取付プレート６２の下方に設けられた支持プレート６６と、取付プレート６２と支持プレート６６との間に設けられた圧縮コイルバネ６７と、支持プレート６６の下方で下ケース６４に固定された圧力センサー５２とを備えている。
なお、位置規制凸部６５は、特許請求の範囲における「位置規制部」の一例である。
【００４２】
可変抵抗器５１は、下方から順に、抵抗パターン（図示省略）が形成されたボリューム基板６８と、取付プレート６２に形成された開口部６９に挿通した段付き円筒状のケース部７１と、抵抗パターンに摺動する摺動子（図示省略）を回転させる回転軸７２と、回転軸７２の先端に固定された、有蓋円筒状の操作摘み２１と、を備えている。可変抵抗器５１は、ボリューム基板６８を取付プレート６２の下面にネジ止めすることで、取付プレート６２に固定されている。
【００４３】
操作者が、操作摘み２１を回転操作すると、回転軸７２および摺動子が回転し、可変抵抗器５１の抵抗値が変化する。これにより、出力電圧または出力電流が変化し、操作摘み２１の回転角度が検出される。パラメーター発生部１４は、検出された回転角度に応じて、上述した４種類の切替え周期パラメーターを発生させる。なお、操作摘み２１の回転方向の１または複数箇所に、クリック位置を設けてもよい。
また、操作摘み２１の上面および外周面には、タッチセンサー７３が取り付けられており、操作者が操作摘み２１に触れているか否かを検出できるようになっている。
【００４４】
可変抵抗器５１は、取付プレート６２および圧縮コイルバネ６７を介して、支持プレート６６上に支持されている。このため、可変抵抗器５１の操作摘み２１は、圧縮コイルバネ６７に抗して、押込み操作可能となっている。
【００４５】
取付プレート６２は、略円板状に構成されており、中心部に、可変抵抗器５１のケース部７１が挿通した開口部６９が形成されている。
【００４６】
取付プレート６２の周縁部には、上ケース６１から下方に延びるガイドピン（図示省略）が挿通したガイド孔７５が３箇所に形成されている。３つのガイド孔７５は、取付プレート６２の中心周りに、等角度間隔すなわち１２０°間隔に設けられている。取付プレート６２は、ガイドピンにガイドされながら、上下方向にスライド可能となっている。このため、操作摘み２１を下方に押込み操作すると、取付プレート６２が、圧縮コイルバネ６７に抗して下方にスライドする。また、取付プレート６２が下方にスライドした状態で、操作摘み２１の押込み力を弱めると、取付プレート６２が、圧縮コイルバネ６７により付勢され、上方にスライドする。
なお、ガイド孔７５は、ガイドピンに対して余裕のある径を有している。これにより、操作者が操作摘み２１を上下方向に対して斜めに押し込んだ場合、取付プレート６２が、斜めに傾いた状態、すなわちガイドピンの延在方向に垂直な面に対して傾いた状態となり、この状態で取付プレート６２が上下方向にスライド可能となっている。
【００４７】
また、取付プレート６２の下面周縁部には、ボス状の上バネ位置決め部７６が３箇所に突設されている。３つの上バネ位置決め部７６は、上記のガイド孔７５と同様に、取付プレート６２の中心周りに等角度間隔に設けられている。上バネ位置決め部７６により、圧縮コイルバネ６７の上端部が位置決めされる。
【００４８】
さらに、取付プレート６２の周縁部には、ダンパー６３が３箇所に設けられている。３つのダンパー６３は、上記のガイド孔７５などと同様に、取付プレート６２の中心周りに等角度間隔に設けられている。
【００４９】
ダンパー６３は、取付プレート６２の周縁部に取り付けられた短円筒状のシリンダー部７７と、シリンダー部７７を貫通すると共に、上端が上ケース６１の下面に固定されたロッド部７８とを備えている。ダンパー６３は、取付プレート６２の下方へのスライドを緩衝する。ダンパー６３により、操作摘み２１の押込み操作に必要な押込み力が調整されている。すなわち、ダンパー６３により、適度な押込み力で操作摘み２１を押込み操作できるようになっている。
【００５０】
位置規制凸部６５は、下ケース６４から、取付プレート６２の周縁部に向けて、３箇所に突設されている。３つの位置規制凸部６５は、上記のガイド孔７５などと同様に、取付プレート６２の中心周りに等角度間隔に設けられている。位置規制凸部６５は、下方にスライドした取付プレート６２が度当たりすることで（図７（ｂ）参照）、取付プレート６２の下方へのスライド端位置、すなわち操作摘み２１の押込み端位置を規制している。これにより、取付プレート６２の上下方向のスライド可能量、すなわち操作摘み２１の押込み可能量は、例えば３ｍｍとなっている。
【００５１】
支持プレート６６は、略角丸正三角形板状に構成されており、各角部の上面には、下バネ位置決め部（図示省略）が形成されている。また、支持プレート６６の下面中央部には、円弧面状の押圧部８１が突設されている。押圧部８１は、操作摘み２１を押込み操作した際に、圧力センサー５２の受圧部８２（後述する）を押圧する部位となる。押圧部８１は、円弧面状に形成されていることで、取付プレート６２が斜めに傾いた状態となっても、受圧部８２を適切に押圧することができる。
【００５２】
圧縮コイルバネ６７は、取付プレート６２と支持プレート６６との間において、上記の上バネ位置決め部７６および下バネ位置決め部が形成された３箇所に設けられている。すなわち、３つの圧縮コイルバネ６７は、取付プレート６２に垂直な方向から見て、操作摘み２１の周囲に等角度間隔に設けられている。圧縮コイルバネ６７は、取付プレート６２を、操作摘み２１の押込み方向とは反対側、すなわち上方に向けて、付勢している。
なお、圧縮コイルバネ６７に代えて、板バネ、ゴム状部材など、他の弾性体を用いてもよい。
【００５３】
圧力センサー５２は、センサー基板８３と、センサー基板８３上に設けられた受圧部８２とを備えている。受圧部８２には、支持プレート６６の押圧部８１が当接している。操作者が、操作摘み２１を押込み操作すると、取付プレート６２、圧縮コイルバネ６７および支持プレート６６を介して、受圧部８２が押圧される。圧力センサー５２は、受圧部８２に掛かった押圧力を検出する。
【００５４】
このように構成された操作部１２では、操作者が、圧縮コイルバネ６７に抗して操作摘み２１を押込み操作すると、その押込み量に応じて、取付プレート６２が下方にスライドし、圧縮コイルバネ６７が収縮する。そして、圧縮コイルバネ６７の性質、すなわちフックの法則により、操作摘み２１の押込み量が大きくなるほど、つまり圧縮コイルバネ６７の収縮量が大きくなるほど、それに必要な操作摘み２１に対する押圧力も大きくなる。操作摘み２１に対する押圧力は、取付プレート６２、圧縮コイルバネ６７および支持プレート６６を介して受圧部８２に掛かり、圧力センサー５２により検出される。換言すれば、操作部１２は、操作摘み２１の押込み量を、操作摘み２１と受圧部８２との間に介在する圧縮コイルバネ６７により押圧力に変換し、その押圧力を圧力センサー５２により検出することで、操作摘み２１の押込み量を検出している。
【００５５】
上記のパラメーター発生部１４は、圧力センサー５２により検出された圧力、すなわち操作摘み２１の押込み量に応じて、３種類の発音回数パラメーターを発生させる。例えば、パラメーター発生部１４は、押込み量が「小」すなわち１ｍｍ未満（検出圧力が２Ｎ未満）のときは、第１発音回数パラメーターを発生させ、押込み量が「中」すなわち１ｍｍ以上２ｍｍ未満（検出圧力が２Ｎ以上４Ｎ未満）のときは、第２発音回数パラメーターを発生させ、押込み量が「大」すなわち２ｍｍ以上（検出圧力が４Ｎ以上）のときは、第３発音回数パラメーターを発生させる。なお、操作摘み２１の押込み方向の１または複数箇所に、クリック位置を設けてもよい。
【００５６】
以上のように、本実施形態の操作部１２によれば、操作摘み２１が押込み操作可能であることで、操作者は、押込みを伴わない押圧のみの操作において操作量すなわち押圧力を加減する場合に比べ、その操作量すなわち押込み量を容易に加減することができる。これにより、操作者が、狙い通りの操作量となるように操作することができる。すなわち、操作者が、操作摘み２１を押込み操作することで、狙い通りの発音回数パラメーターを発生させることができる。さらに、操作部１２は、上記のとおり、操作摘み２１の押込み量を、操作摘み２１と受圧部８２との間に介在する圧縮コイルバネ６７により押圧力に変換し、その押圧力を圧力センサー５２により検出することで、操作摘み２１の押込み量を検出する。これにより、押込み量が微小量（例えばミリ単位）であっても、その押込み量を検出することができる。
【００５７】
さらに、操作部１２が、位置規制凸部６５を備えたことで、操作摘み２１の押込み端位置が規制される。これにより、圧縮コイルバネ６７が過度に収縮することがなく、圧力センサー５２の受圧部８２に対し、定格以上の押圧力が掛かることを防止することができる。
【００５８】
また、操作部１２では、３個の圧縮コイルバネ６７が、取付プレート６２に垂直な方向から見て、操作摘み２１の周囲に分散して設けられている。これにより、操作者が操作摘み２１を上下方向に対して斜めに押し込んだことで、取付プレート６２が、斜めに傾いた状態で下方にスライドする場合にも、操作摘み２１の押込み量を適切に検出することができる。換言すれば、操作者は操作摘み２１を正確に下方に押し込む必要がなく、操作性を向上させている。さらに、３個の圧縮コイルバネ６７が、取付プレート６２に垂直な方向から見て、操作摘み２１の周囲に等角度間隔に設けられていることで、取付プレート６２がいずれの向きに傾いた場合にも、操作摘み２１の押込み量を適切に検出することができる。
なお、当然ではあるが、圧縮コイルバネ６７の個数は、３個に限られるものではない。ガイド孔７５やガイドピン、ダンパー６３などについても同様である。
【００５９】
さらに、操作部１２では、操作摘み２１の回転軸７２方向と押込み方向とが一致しているが、両方向の関係は何ら限定されるものではなく、例えば、回転軸７２方向とが直交した構成であってもよい。もっとも、本実施形態のように、操作摘み２１の回転軸７２方向と押込み方向とが一致していることで、操作者は、操作摘み２１をねじ込むような１つの動作により、操作摘み２１の回転操作と押込み操作との双方を行うことができる。したがって、操作者は、１つの動作により、切替え周期および発音回数を変化させることができる。
【００６０】
なお、上記の実施形態では、押込み操作可能な操作子として、可変抵抗器５１の操作摘み２１を例示したが、押込み操作可能であれば、操作子の形態は問わない。例えば、ＤＪプレーヤー４６に多く搭載されるジョグダイヤルであっても良い。また、これらの操作子をリモートコントローラーに搭載しても良い。操作子は、ＰＣと接続して用いられるＤＪコントローラー上に搭載されたものであっても良い。
【００６１】
また、上記の実施形態では、本発明の付加音制御装置をＤＪエフェクター１に適用した場合を例示したが、ＤＪエフェクター１以外のＤＪ機器（ＤＪミキサー４５、ＤＪプレーヤー４６等）に適用しても良い。また、ＤＪ機器以外の音響機器に本発明の付加音制御装置を適用しても良い。音響機器としては、例えば、ＣＤプレーヤー、電子楽器などがある。
【符号の説明】
【００６２】
１：ＤＪエフェクター、１２：操作部、２１：操作摘み、５２：圧力センサー、６７：圧縮コイルバネ、８２：受圧部
【図１】
2015079661.tif 000003
【図２】
2015079661.tif 000004
【図３】
2015079661.tif 000005
【図４】
2015079661.tif 000006
【図５】
2015079661.tif 000007
【図６】
2015079661.tif 000008
【図７】
2015079661.tif 000009
【図８】
2015079661.tif 000010